(57)【特許請求の範囲】
【請求項１】
ヒンジを介して開閉自在な第１のカバー本体と第２のカバー本体と、
前記第１のカバー本体の開口端縁に設けられた嵌合孔と、
前記嵌合孔よりも内側に設けられ、前記開口端縁に沿って延びる第１のリブと、
前記第２のカバー本体の開口端縁に設けられ、前記嵌合孔に嵌合して一部が外部に露出する嵌合フックと、
前記嵌合フックよりも内側に設けられ、前記開口端縁に沿って延び、前記第１のカバー本体と第２のカバー本体とが閉じられた状態で前記第１のリブよりも内側に位置する第２のリブと、を備え、
前記嵌合フックの色が前記嵌合孔周辺の色と異なり、前記第１のリブの色が前記嵌合フックおよび第２のリブの色と異なる、ことを特徴とする絶縁カバー。
【請求項２】
前記嵌合フックと第２のリブとの色のみが、他の部分の色と異なる、ことを特徴とする請求項１に記載の絶縁カバー。
【発明の詳細な説明】
【技術分野】
【０００１】
この発明は、間接活線工法や直接活線工法で取り付けられる絶縁カバーに関する。
【背景技術】
【０００２】
例えば、電線同士を接続するスリーブには、絶縁性を確保するために絶縁カバーが取り付けられている（例えば、特許文献１参照。）。この絶縁カバーには、第１のカバー本体と第２のカバー本体とが、ヒンジを介して開閉自在なものがある。すなわち、第１のカバー本体の開口端縁に嵌合孔が設けられ、この嵌合孔よりも内側に開口端縁に沿って延びる第１のリブが設けられている。一方、第２のカバー本体の開口端縁に嵌合フックが設けられ、この嵌合フックよりも内側に開口端縁に沿って延びる第２のリブが設けられている。
【０００３】
そして、第１のカバー本体と第２のカバー本体とを閉じると、嵌合フックが嵌合孔に嵌合して一部が外部に露出するとともに、第２のリブが第１のリブよりも内側に位置する（第２のカバー本体の開口端縁と第２のリブとの間に第１のリブが位置する）ようになっている。また、このような絶縁カバーの内面には、スリーブや電線と接合するためのパテ（粘着剤）が配設されている。
【先行技術文献】
【特許文献】
【０００４】
【特許文献１】特開２０１０−０７４９３６号公報
【発明の概要】
【発明が解決しようとする課題】
【０００５】
ところで、近年、安全性をより確保するために、間接活線工具（ホットスティック・絶縁棒）を用いて通電状態のままで作業を行う間接活線工法が、多く採用されるようになっている。しかしながら、間接活線工法では、長い棒状の間接活線工具を用いるため、間接活線工具の先に位置する取付対象（絶縁カバーなど）を作業者が正確に視認することが困難となる。
【０００６】
しかも、上記のような絶縁カバーは、全体が同一色（例えば黒色）となっており、嵌合フックや第２のリブなどを目視で識別することが困難である。このため、間接活線工法で絶縁カバーを取り付ける場合に、嵌合フックが嵌合孔に正しく嵌合しているか否かや、第２のカバー本体と第２のリブとの間に第１のリブが正しく位置しているか否か、などを目視確認することが困難で、適正な取付・作業を行えない場合が生じ得る。しかも、絶縁カバーの内面にはパテが配設されているため、絶縁カバーの取り付けを失敗した場合に、絶縁カバーの取り外しが困難なばかりでなく、取り外した絶縁カバーを再利用することができず、無駄となっていた。
【０００７】
そこでこの発明は、間接活線工法などによっても適正かつ容易に取り付けることが可能な絶縁カバーを提供することを目的とする。
【課題を解決するための手段】
【０００８】
上記課題を解決するために、請求項１の発明は、ヒンジを介して開閉自在な第１のカバー本体と第２のカバー本体と、前記第１のカバー本体の開口端縁に設けられた嵌合孔と、前記嵌合孔よりも内側に設けられ、前記開口端縁に沿って延びる第１のリブと、前記第２のカバー本体の開口端縁に設けられ、前記嵌合孔に嵌合して一部が外部に露出する嵌合フックと、前記嵌合フックよりも内側に設けられ、前記開口端縁に沿って延び、前記第１のカバー本体と第２のカバー本体とが閉じられた状態で前記第１のリブよりも内側に位置する第２のリブと、を備え、前記嵌合フックの色が前記嵌合孔周辺の色と異なり、前記第１のリブの色が前記嵌合フックおよび第２のリブの色と異なる、ことを特徴とする絶縁カバーである。
【０００９】
この発明によれば、第１のカバー本体と第２のカバー本体とを開けた状態で、例えば、間接活線工具によって取付対象物（スリーブなど）に当てがい、第１のカバー本体と第２のカバー本体とを閉じていく。この際、第１のリブの色が嵌合フックの色と異なるため、例えば、誤って第１のリブが嵌合フックの前面側に位置した場合に、そのことが遠くからでも容易に目視可能となる。また、第１のリブの色が第２のリブの色とも異なるため、例えば、誤って第１のリブが第２のリブの背面側（内側）に位置した場合に、そのことが遠くからでも容易に目視可能となる。さらに、嵌合フックが嵌合孔に嵌合すると、嵌合フックの一部が外部に露出し、しかも、嵌合フックの色が嵌合孔周辺の色と異なるため、嵌合フックが嵌合孔に正しく嵌合されたか否かを遠くからでも容易に目視可能となる。
【００１０】
請求項２の発明は、請求項１に記載の絶縁カバーにおいて、前記嵌合フックと第２のリブとの色のみが、他の部分の色と異なる、ことを特徴とする。
【発明の効果】
【００１１】
請求項１の発明によれば、誤って第１のリブが嵌合フックの前面側に位置した場合や、誤って第１のリブが第２のリブの背面側に位置した場合などであって、そのことを遠くからでも容易に目視可能であり、しかも、嵌合フックが嵌合孔に正しく嵌合されたか否かを遠くからでも容易に目視可能である。このため、長い棒状の間接活線工具を用いても、取付過程を確認しながら、適正かつ容易に絶縁カバーを取り付けることが可能となり、この結果、作業・施工時間が短縮化され、停電時間などの短縮化が可能となる。また、絶縁カバーを適正に取り付けられる結果、取付失敗によるカバーの無駄を防止することができる。
【００１２】
さらに、視認性が向上するため、不用意に高圧線などに近づく必要がなくなり、安全性が向上するとともに、正しく取り付けられているか否かを遠くからでも視認可能なため、取付後の確認・検査を地上などから容易、迅速かつ適正に行うことができる。しかも、色を変えるだけでよいため、既成・既存のカバーを活用して、容易かつ低コストで本絶縁カバーを製作することができる。
【００１３】
請求項２の発明によれば、嵌合フックと第２のリブとの色のみが、他の部分の色と異なるため、より容易かつ低コストで本絶縁カバーを製作することができる。すなわち、全体が同一色である既成・既存のカバーの嵌合フックと第２のリブのみを、異なる色に着色するだけで、より容易かつ低コストで製作することができる。
【図面の簡単な説明】
【００１４】
【図１】この発明の実施の形態に係る絶縁カバーを閉じた状態を示す正面図である。
【図２】図１の絶縁カバーを開いた状態を示す平面図である。
【図３】図２のＡ−Ａ断面図（ａ）と、図１のＢ−Ｂ断面図（ｂ）である。
【図４】図１の絶縁カバーを正しく閉じている途中の状態を示す正面図である。
【図５】図１の絶縁カバーを誤って閉じている途中の状態を示す正面図である。
【図６】図１の絶縁カバーを正しく閉じた状態を示す正面図である。
【発明を実施するための形態】
【００１５】
以下、この発明を図示の実施の形態に基づいて説明する。
【００１６】
図１、２は、この発明の実施の形態に係る絶縁カバー１を閉じた状態を示す正面図と、開いた状態を示す平面図である。この絶縁カバー１は、電線１００同士を接続するスリーブ（図示せず）と電線１００の接続端部とを覆うカバーであり、間接活線工具などによって取り付けられるものである。ここで、この実施の形態では、間接活線工具を用いて取り付ける場合について、主として説明する。また、間接活線工具とは、通電状態のままで作業を行う間接活線工法で用いられる工具、つまり、電線１００や電気機器などに作業者が直接接することなく作業を行うための工具であり、長い共用操作棒の共用連結部・先端部に各種の先端工具（ヤットコなど）を取り付けることで、各種動作、操作が行えるものである。
【００１７】
絶縁カバー１は、電気絶縁材で構成され、ヒンジ１ａを介して開閉自在・回動自在な第１のカバー本体２と第２のカバー本体３とを備えている。このカバー本体２、３は、図３に示すように、ともに断面が半円弧状で、閉じた状態で絶縁カバー１全体が略円筒形になるように形成されている。
【００１８】
第１のカバー本体２の開口側（反ヒンジ１ａ側）の端縁（開口端縁）には、第１のカバー本体２の円弧に垂直で端縁に沿って延びる板状の第１のツバ２１が形成され、この第１のツバ２１には、角穴状の複数（この実施の形態では３つ）の嵌合孔２２が形成されている。また、第１のカバー本体２の同端縁には、嵌合孔２２よりも内側（第１のカバー本体２の中心側）に、端縁に沿って延びるヒダ状の第１のリブ２３が形成されている。
【００１９】
第２のカバー本体３の開口側（反ヒンジ１ａ側）の端縁（開口端縁）には、第２のカバー本体３の円弧に垂直で端縁に沿って延びる板状の第２のツバ３１が形成され、この第２のツバ３１には、複数（この実施の形態では３つ）の嵌合フック３２が形成されている。この嵌合フック３２は、基端部が略長方形で先端部が略台形の爪で、カバー本体２、３を閉じることで嵌合孔２２に嵌合するように形成、配設され、図１、図３（ｂ）に示すように、嵌合した際に先端部（一部）が外部に露出するようになっている。
【００２０】
また、第２のカバー本体３の嵌合フック３２よりも内側（第２のカバー本体３の中心側）には、開口端縁に沿って延びるヒダ状の第２のリブ３３が形成されている。この第２のリブ３３は、図３（ｂ）に示すように、カバー本体２、３が閉じられた状態で第１のリブ２３よりも内側（絶縁カバー１の中心側）に位置するように、つまり、嵌合フック３２と第２のリブ３３との間に第１のリブ２３が位置するように、形成、配設されている。
【００２１】
また、両カバー本体２、３の内面には、スリーブや電線１００と接合するためのパテ（粘着剤、図示せず）が、複数箇所配設されている。さらに、第２のツバ３１には、平板状の把持部２４が形成されている。
【００２２】
このような絶縁カバー１は、既製・既存の絶縁カバーと同等の構成であり、全体が黒色に彩色されている。そして、各嵌合フック３２と第２のリブ３３の表面のみが、白色に着色されている。これにより、嵌合フック３２の色が嵌合孔２２周辺の色と異なり、第１のリブ２３の色が嵌合フック３２および第２のリブ３３の色と異なるようになっている。
【００２３】
次に、このような構成の絶縁カバー１の取付方法や作用などについて説明する。
【００２４】
まず、第１のカバー本体２と第２のカバー本体３とを開けた状態で、間接活線工具の先端工具で把持部２４を把持し、作業者が間接活線工具の下端部を持って、第２のカバー本体３の中央部をスリーブに配設する（パテで仮止めする。）。この状態で、嵌合フック３２と第２のリブ３３との間に第１のリブ２３が位置し、各嵌合フック３２が嵌合孔２２に嵌合するのを確認しながら、間接活線工具で第１のカバー本体２を第２のカバー本体３側に倒して閉じていく。この際、各嵌合フック３２と第２のリブ３３のみが白色で、他の部分はすべて黒色なため、彩色模様・色具合（色によって表される模様・描画）によって、正しく配設・作業が行われているか否かを確認する。
【００２５】
すなわち、正しく閉まりかけている場合には、嵌合フック３２が嵌合孔２２に嵌合する寸前で、図４に示すように、すべての嵌合フック３２の全体が白く見え、その背面側に第２のリブ３３が直線状に延びて白く見える。一方、誤って第１のリブ２３の一部が一部の嵌合フック３２の前面側に位置した場合には、図５に示すように、一部の（図中右側と中央の）嵌合フック３２が見えなくなる。同様に、例えば、誤って第１のリブ２３が第２のリブ３３の背面側に位置した場合には、第２のリブ３３が板状に白く大きく見える。
【００２６】
さらに、すべての嵌合フック３２が嵌合孔２２に適正に嵌合し、カバー本体２、３が正しく閉じられた場合には、図６に示すように、各嵌合フック３２の先端部のみが白く露出して見える。一方、カバー本体２、３が正しく閉じられない場合には、例えば、一部の嵌合フック３２の先端部が第１のカバー本体２に隠れて見えなくなる。このように、彩色模様で取付過程を確認しながらカバー本体２、３を閉じて、絶縁カバー１を取り付けるものである。
【００２７】
以上のように、この絶縁カバー１によれば、全体が黒色で各嵌合フック３２と第２のリブ３３のみが白色に着色されているため、誤って第１のリブ２３が嵌合フック３２の前面側に位置した場合や、誤って第１のリブ２３が第２のリブ３３の背面側に位置した場合などであって、彩色模様によって、そのことを遠くからでも容易かつ正確に作業者が目視可能となる。同様に、嵌合フック３２が嵌合孔２２に正しく嵌合されつつあるか否か、さらには、正しく嵌合されたか否かを、彩色模様によって遠くからでも容易かつ正確に目視可能となる。
【００２８】
このため、長い棒状の間接活線工具を用いても、取付ミスを防止して、適正かつ容易に絶縁カバー１を取り付けることが可能となり、この結果、作業・施工時間が短縮化され、電線１００を早期通電することによる停電時間の短縮化などが可能となる。また、絶縁カバー１を適正に取り付けられる結果、取付失敗による絶縁カバー１の無駄を防止することができる。
【００２９】
さらに、視認性が向上するため、不用意に作業者が高圧線・電線１００などに近づく必要がなくなり、安全性が向上する。また、絶縁カバー１が正しく取り付けられているか否かを遠くからでも容易かつ正確に視認可能なため、取付後の確認・検査を地上などから容易かつ適正に行うことができる。しかも、既製・既存の絶縁カバーの各嵌合フック３２と第２のリブ３３のみを白色に着色するだけで、容易かつ低コストで本絶縁カバー１を製作することができる。
【００３０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、嵌合フック３２と第２のリブ３３とを同一色にしているが、第１のカバー本体２などの他の部分の彩色や取付場所の背景色などに応じて、嵌合フック３２と第２のリブ３３とを異なる色にしてもよい。また、嵌合フック３２と第２のリブ３３とを蛍光色に着色してもよく、これにより、夜間などでもより容易かつ適正に視認することができる。
【００３１】
さらに、上記の実施の形態では、嵌合フック３２と第２のリブ３３とを着色しているが、取付場所の背景色や作業環境などに応じて、その他の部分を着色してもよい。すなわち、上記のような視認効果が得られるように、嵌合フック３２の色が嵌合孔２２周辺の色と異なり、第１のリブ２３の色が嵌合フック３２および第２のリブ３３の色と異なればよい。例えば、全体が黒色である場合に、第１のカバー本体２の第１のツバ２１周辺（嵌合フック３２の先端部が露出する部位）と第１のリブ２３とを白色で着色したり、第１のカバー本体２側全体（上半分）と第２のカバー本体３側全体（下半分）とを異なる色にしてもよい。
【００３２】
また、上記のような絶縁カバー１に限らず、高圧配電線の引留クランプを絶縁する引留クランプカバーなど、その他の絶縁カバーにも適用することができる。さらに、間接活線工法に限らず、作業者が高圧ゴム手袋などを装着して作業を行う直接活線工法にも適用することができる。
【符号の説明】
【００３３】
１        絶縁カバー
１ａ      ヒンジ
２        第１のカバー本体
２１      第１のツバ
２２      嵌合孔
２３      第１のリブ
３        第２のカバー本体
３１      第２のツバ
３２      嵌合フック
３３      第２のリブ
１００    電線
【図１】
0005312624.tif 000002
【図２】
0005312624.tif 000003
【図３】
0005312624.tif 000004
【図４】
0005312624.tif 000005
【図５】
0005312624.tif 000006
【図６】
0005312624.tif 000007